(57)【特許請求の範囲】
【請求項１】
前方部に折辺が設置されたガイドレールをキャビネット側面の前柱及後柱に付設することに用いられ、
スライド可能に前記ガイドレールの前方部に取り付けられ、且つ前記ガイドレールの折辺と接合して前記前柱を挟むためのバッフルが設置された第一固定部材と、
前方部には、作動鈎が設置され、後方部には、折辺及び開口が設置され、前記作動鈎がスライド可能に前記第一固定部材と前記ガイドレールとの間に入って、前記第一固定部材を駆動して前記ガイドレールに沿ってスライドさせて、前記第一固定部材が前記ガイドレールの折辺から離れるように構成されたリリース部材と、
前記リリース部材の開口に可動に係合される橋接部を有する弾性シートと、
スライド可能に前記ガイドレールの後方部に取り付けられ、且つ前記リリース部材の折辺と接合して前記後柱を挟むためのバッフルが設置された第二固定部材と、
を備え、前記ガイドレールの折辺及び前記第一固定部材のバッフルの一方に前記前柱に係合する固定栓が設置され、前記リリース部材の折辺及び前記第二固定部材のバッフルの一方に前記後柱に係合する固定栓が設置されることを特徴とするガイドレール固定装置。
【請求項２】
前記前柱には、複数の貫通孔が開設され、
前記ガイドレールの折辺にも前記前柱の前記複数の貫通孔に対応する複数の貫通孔が開設され、
前記第一固定部材のバッフルには、前記前柱及び前記ガイドレールの折辺の貫通孔を貫くことができる複数の固定栓が設置されることを特徴とする請求項１に記載のガイドレール固定装置。
【請求項３】
前記後柱には、複数の貫通孔が開設され、
前記リリース部材の折辺には、前記後柱の前記複数の貫通孔を貫くことができる一対の固定栓が設置され、
前記第二固定部材のバッフルにも前記後柱の前記複数の貫通孔を貫くことができる固定栓が設置されることを特徴とする請求項１に記載のガイドレール固定装置。
【請求項４】
前記第一固定部材には、水平ガイドスロットと、前記リリース部材の作動鈎を収容するための中空の突台とが更に設置され、
前記突台には、傾斜ガイドスロットが設置され、
第一スライド部材がスライド可能に前記傾斜ガイドスロットを貫き、第二スライド部材がスライド可能に前記水平ガイドスロットを貫いて前記ガイドレールに固定され、
前記第一スライド部材の外端と前記第二スライド部材の外端との間には、スプリングが連接されることを特徴とする請求項１に記載のガイドレール固定装置。
【請求項５】
前記第一スライド部材の内端には、スライド部が設置され、
前記リリース部材の作動鈎の外側には、推進面が設置され、前記推進面が前記スライド部を推進して、前記第一スライド部材が前記作動鈎の内側に入るように構成されていることを特徴とする請求項４に記載のガイドレール固定装置。
【請求項６】
前記ガイドレールには、推進素子が設置され、
前記推進素子が前記第一スライド部材のスライド部を推進して、前記第一スライド部材が前記リリース部材の前記作動鈎から抜け出すように構成されていることを特徴とする請求項５に記載のガイドレール固定装置。
【請求項７】
前記弾性シートは、本体と、前記本体の末端から傾斜方向に沿って延在された弾性部と、前記弾性部の末端から延在され、且つ前記本体に平行に形成された操作部と、を備え、
前記本体及び前記弾性部に連通する開口が設置され、前記本体には、その長手方向に沿って固定部が形成され、前記橋接部が前記固定部に設置され、前記操作部を押すと、前記弾性シートの一端が前記第二固定部材に対して反って、前記橋接部が前記リリース部材の開口から取り出すことを特徴とする請求項６に記載のガイドレール固定装置。
【請求項８】
前記リリース部材の後方部には、対向する一対のガイド部と、固定孔を有するタブとが更に設置され、
前記第二固定部材がスライド可能に前記一対のガイド部の間に挟まれ、前記第二固定部材には、固定孔を有する固定シートが更に設置され、スプリングの両端が別々に前記リリース部材のタブの固定孔及び前記第二固定部材の固定シートの固定孔に掛けられることを特徴とする請求項１に記載のガイドレール固定装置。
【発明の詳細な説明】
【技術分野】
【０００１】
本発明は、ガイドレール固定装置に関するものであって、特にガイドレールをキャビネットに固定する固定装置に関するものである。
【背景技術】
【０００２】
ガイドレールは、広く利用される装置であって、引出しや棚式サーバーラックなどのような相対運動している二つの部材を連接することに用いられる。
【０００３】
よく見かけるガイドレールは、三段式ガイドレールであって、第一ガイドレール、第二ガイドレール及び第三ガイドレールを備える。引出しを例に挙げると、第一ガイドレールは、キャビネットの支持架に付設され、第三ガイドレールは、引出しの側面に付設され、第二ガイドレールは、前記第一ガイドレールと前記第三ガイドレールとの間に連接されて前記引出しの活動範囲を伸ばし、且つ前記第三ガイドレール及び前記第二ガイドレールが前記第一ガイドレールの軸方向に沿って前記第一ガイドレールに対して相対的にスライド可能であるため、引出しが前記ガイドレールによってスライド式に開閉される。
【０００４】
サーバーにおいて、第一ガイドレール及び第三ガイドレールを別々にキャビネットの支持架及びサーバーケースに付設するために、複数のねじ及びドライバーなどの工具を必要とするため、ガイドレールの取付操作及び取り外し操作が複雑である。
【発明の概要】
【発明が解決しようとする課題】
【０００５】
本発明の目的は、上記の課題を解決し、ガイドレールを便利に取り付けたり取り外したりすることができるガイドレール固定装置を提供することである。
【課題を解決するための手段】
【０００６】
前記目的を達成するため、本発明に係るガイドレール固定装置は、前方部に折辺が設置されたガイドレールをキャビネット側面の前柱及後柱に付設することに用いられ、スライド可能に前記ガイドレールの前方部に取り付けられ、前記ガイドレールの折辺と接合して前記前柱を挟むためのバッフルを備える第一固定部材と、前方部に作動鈎が設置され、後方部に折辺及び開口が設置され、前記作動鈎がスライド可能に前記第一固定部材と前記ガイドレールとの間に入って前記第一固定部材を駆動して前記ガイドレールに沿ってスライドさせて、前記第一固定部材が前記ガイドレールの折辺から離れることにするリリース部材と、前記リリース部材の開口に可動に係合される橋接部を有する弾性シートと、スライド可能に前記ガイドレールの後方部に取り付けられ、前記リリース部材の折辺と接合して前記後柱を挟むためのバッフルを備える第二固定部材と、を備え、前記ガイドレールの折辺及び前記第一固定部材のバッフルの一方に前記前柱に係合する固定栓が設置され、前記リリース部材の折辺及び前記第二固定部材のバッフルの一方に前記後柱に係合する固定栓が設置される。
【発明の効果】
【０００７】
本発明に係るガイドレール固定装置において、前柱及び後柱をねじで固定することなく、前柱及び後柱から容易に着脱することができ、取付又は取り外しに掛かる時間を短縮することができる。
【図面の簡単な説明】
【０００８】
【図１】本発明の実施形態に係るガイドレール固定装置と前/後柱及びガイドレールの立体組立図である。
【図２】本発明の実施形態に係るガイドレール固定装置のリリース部材及び第一固定部材とガイドレールの立体分解図である。
【図３】本発明の実施形態に係るガイドレール固定装置のリリース部材及び第二固定部材とガイドレールの立体分解図である。
【図４】本発明の実施形態に係るガイドレール固定装置のリリース部材及び第二固定部材とガイドレールの立体分解図である。
【図５】本発明の実施形態に係るガイドレール固定装置の第一、第二固定部材によってガイドレールを前/後柱に固定する状態を示す図である。
【図６】本発明の実施形態に係るガイドレール固定装置において、前柱からガイドレールを取り外す過程を示す図である。
【図７】本発明の実施形態に係るガイドレール固定装置において、前柱からガイドレールを取り外す過程を示す図である。
【図８】本発明の実施形態に係るガイドレール固定装置において、前柱からガイドレールを取り外す過程を示す図である。
【図９】本発明の実施形態に係るガイドレール固定装置において、後柱からガイドレールを取り外す過程を示す図である。
【発明を実施するための形態】
【０００９】
図１を参照すると、本発明に係わるガイドレール固定装置は、ガイドレール１０をキャビネット側面の前柱２２及後柱２４に付設することに用いられ、リリース部材３０、第一固定部材４０、複数のスライド部材５２，５４，５６、第二固定部材６０、弾性シート７０及び二つのスプリング８２，８４を備える。前記第一固定部材４０、前記複数のスライド部材５２，５４，５６及び前記スプリング８２は、前記ガイドレール１０の前方部を前記前柱２２に固定するための第一固定モジュールを構成する。前記第二固定部材６０、前記弾性シート７０及び前記スプリング８４は、前記ガイドレール１０の後方部を前記後柱２４に固定するための第二固定モジュールを構成する。
【００１０】
前記前柱２２及前記後柱２４には、別々に複数の等間隔の貫通孔が設置される。
【００１１】
図２を参照すると、前記ガイドレール１０の前端には、複数の等間隔の貫通孔１２２を有する折辺１２が垂直に設置される。前記ガイドレール１０の前方部には、タブ１４及びアーク形状の推進面を有する推進素子１６が設置される。前記タブ１４と前記推進素子１６との間には、前記ガイドレール１０の上側辺との距離が異なる二つの固定孔１８１，１８２が設置される。
【００１２】
図３を一緒に参照すると、前記リリース部材３０の前端部には、作動鈎３２が形成されており、前記作動鈎３２の外側に傾斜する推進面３２２が設置される。前記リリース部材３０の中央部には、その長手方向に沿って長いスロット３１が設置される。前記前記リリース部材３０の後方部には、順次に折辺３４、開口３６、タブ３７及び対向する一対のガイド部３９が設置される。前記タブ３７の下方には、係合スロット３８が設置される。前記折辺３４の前記開口３６に隣接する一面に一対の固定栓３４２が設置される。前記タブ３７には、固定孔３７２が設置される。
【００１３】
続いて図２を参照すると、前記第一固定部材４０は、本体４２と、該本体４２の前端部に垂直に設置されるバッフル４３と、を備える。前記バッフル４３には、前方に向かって突出する一対の固定栓４３２が設置される。前記本体４２の前から後ろに向けて順次に前記第一固定部材４０の上側辺に近接する三つの水平ガイドスロット４４２，４４４，４４６が設置される。前記本体の後方部には、略Ｌ字形状且つ中空の突台４５が形成される。前記突台４５は、水平部４５２及び傾斜部４５４を備え、前記傾斜部４５４には、上部の幅が広く、且つ下部の幅が狭い傾斜ガイドスロット４５６が設置され、前記傾斜ガイドスロット４５６の上端には、舌片４５８が設置される。前記水平ガイドスロット４４６は、前記突台４５の水平部４５２の上方に設置される。前記水平ガイドスロット４４２は、前記バッフル４３の二つの固定栓４３２の間まで延在される。
【００１４】
前記複数のスライド部材５２，５４，５６は、全て段階ねじである。前記スライド部材５２は、直径が比較的に大きい頭部と、該頭部の内部に設置され且つ直径が比較的に小さい固定部５２２と、を備える。前記スライド部材５４は、直径が比較的に大きい頭部と、前記頭部の内部に設置され且つ直径が比較的に小さい固定部５４２と、前記頭部の外部に設置されたフック部５４４と、を備える。前記スライド部材５６は、直径が比較的に大きい頭部と、前記頭部の内部に設置され且つ直径が比較的に小さいスライド部５６２と、前記頭部の外部に設置されたフック部５６４と、を備え、前記スライド部５６２の端部には、係止部５６６が設置され、前記係止部５６６の寸法は、前記傾斜ガイドスロット４５６の上部の幅より小さいが、前記傾斜ガイドスロット４５６の下部の幅より大きい（図５を参照する）。
【００１５】
図３及び図４を一緒に参照すると、前記第二固定部材６０は、本体６２と、該本体６２の両端に垂直に設置されるバッフル６４及び固定シート６６と、を備える。前記バッフル６４の中央部には、前方に向かって突出する固定栓６４２が設置される。前記本体６２の中央部には、その長手方向に沿って突起６２１が形成され、前記突起６２１には、収容口６２２が設置される。前記収容口６２２の両側には、別々に固定孔６２３，６２４が設置され、前記収容口６２２が前記固定孔６２３に近接する。前記固定シート６６の上部には、固定孔６６２が設置される。
【００１６】
前記弾性シート７０は、本体７２と、前記本体７２の末端から傾斜方向に沿って延在された弾性部７４と、前記弾性部７４の末端から延在され、且つ前記本体７２に平行に形成された操作部７６と、を備える。前記本体７２及び前記弾性部７４に連通する開口が設置される。前記本体７２には、その長手方向に沿って固定部７５が形成され、前記固定部７５の両端には、別々に引導孔７５２及び貫通孔７５３が設置される。前記固定部７５の前記引導孔７５２の近傍には、橋接部７５４が設置される。
【００１７】
図１〜図５を一緒に参照すると、組み立てる時、複数のねじによって前記リリース部材３０の長いスロット３１を貫いてから前記ガイドレール１０に固定されることにより、前記リリース部材３０を前記ガイドレール１０の外側にスライド可能に組み立てる。
【００１８】
続いて、前記第一固定部材４０を前記ガイドレール１０の外側にスライド可能に組み立てる。前記突台４５で前記リリース部材３０の作動鈎３２の外側を覆うと、前記バッフル４３の固定栓４３２がちょうど前記折辺１２の貫通孔１２２に対応し、前記ガイドレール１０のタブ１４が前記第一固定部材４０の水平ガイドスロット４４２をスライド可能に貫き、前記スライド部材５２の固定部５２２が前記第一固定部材４０の水平ガイドスロット４４６を貫いて前記ガイドレール１０の固定孔１８２に固定され、前記スライド部材５４の固定部５４２が前記第一固定部材４０の水平ガイドスロット４４４を貫いて前記ガイドレール１０の固定孔１８１に固定される。前記スライド部材５６の係止部５６６が前記第一固定部材４０の突台４５の傾斜ガイドスロット４５６の上部から前記傾斜ガイドスロット４５６の下部に取り付けられると、前記舌片４５８が湾曲され、且つ前記傾斜ガイドスロット４５６の上部に配置されて、前記スライド部材５６が前記第一固定部材４０から脱落することを防ぎ、前記スプリング８２の両端が別々に前記スライド部材５４のフック部５４４及び前記スライド部材５６のフック部５６４に掛けられる。
【００１９】
図３を一緒に参照すると、ピンなどのような方向引導部材で前記弾性シート７０の固定部７５の引導孔７５２を貫いて前記第二固定部材６０の固定孔６２３に固定し、続いてねじで前記弾性シート７０の固定部７５の貫通孔７５３を貫いてから前記第二固定部材６０の固定孔６２４に固定することにより、前記弾性シート７０を前記第二固定部材６０に組み立てて、前記弾性シート７０の前方部は、前記第二固定部材６０に対して反っているが、前記弾性シート７０の後方部は、前記第二固定部材６０に対して動かない。前記弾性シート７０の橋接部７５４は、前記第二固定部材６０の収容口６２２に収容される。
【００２０】
図３及び図４を一緒に参照すると、前記弾性シート７０が組み立てられた第二固定部材６０を前記リリース部材３０にスライド可能に組み立てる。前記第二固定部材６０の本体６２は、前記リリース部材３０の一対のガイド部３９の間にスライド可能に組み立てられる。前記スプリング８４の両端は、別々に前記リリース部材３０のタブ３７の固定孔３７２及び前記第二固定部材６０の固定シート６６の固定孔６６２に掛けられる。前記弾性シート７０の橋接部７５４は、前記リリース部材３０の開口３６に入って且つ前記開口３６の後側縁に係止される。
【００２１】
図１〜図９を一緒に参照すると、取り付ける時、先ず前記ガイドレール１０の後方部を前記後柱２４に付設してから、前記ガイドレール１０の前方部を前記前柱２２に付設する。
【００２２】
前記弾性シート７０の操作部７６を押して、前記弾性シート７０の前端を反らせて、前記橋接部７５４を前記第二固定部材６０の収容口６２２及び前記リリース部材３０の開口３６から取り出させ、前記リリース部材３０に沿って後方に向かって前記第二固定部材６０を引っ張り、且つ前記スプリング８４を引き伸ばして、前記リリース部材３０の折辺３４と前記第二固定部材６０のバッフル６４との間の距離を増大して前記後柱２４を挟む。前記折辺３４の一対の固定栓３４２が前記後柱２４の二つの貫通孔を貫いているので、前記第二固定部材６０から手を放すと、前記スプリング８４が元の状態に戻るとともに前記第二固定部材６０を連動して前方に向かって滑り、前記バッフル６４の固定栓６４２が前記後柱２４の前記一対の固定栓３４２収容している二つの貫通孔の間の貫通孔に入り、前記ガイドレール１０の後方部を前記後柱２４に固定する。
【００２３】
前記ガイドレール１０に沿って後方に向かって前記第一固定部材４０を引っ張り、且つ前記スプリング８２を引き伸ばして、前記第一固定部材４０のバッフル４３と前記ガイドレール１０の折辺１２との間の距離を増大して前記前柱２２を挟む。前記前柱２２の貫通孔がちょうど前記ガイドレール１０の折辺１２の貫通孔１２２に対応する時、前記第一固定部材４０から手を放すと、前記スプリング８２が元の状態に戻るとともに前記第一固定部材４０を連動して前方に向かって滑り、前記バッフル４３の固定栓４３２が前記前柱２２の貫通孔及び前記ガイドレール１０の折辺１２の貫通孔１２２に入り、前記ガイドレール１０の前方部を前記前柱２２に固定する。
【００２４】
図６〜図８を一緒に参照すると、取り外す時、先ず前記前柱２２から前記ガイドレール１０を取り外してから、続いて前記後柱２４から前記ガイドレール１０を取り外す。
【００２５】
先ず、前記リリース部材３０を推進して、前記リリース部材３０が前記ガイドレール１０に沿って前方に向かって滑り、前記スプリング８２を変形させ、前記作動鈎３２の外側の推進面３２２が前記スライド部材５６のスライド部５６２を推進して、前記スライド部５６２が前記突台４５の傾斜ガイドスロット４５６に沿って上に向かって滑る。次いで、前記スライド部５６２が前記作動鈎３２の頂端を滑ってから前記作動鈎３２の内側に入る。次に、前記リリース部材３０を引っ張って、前記リリース部材３０が前記ガイドレール１０に沿って後方に向かって滑ることにして、前記スライド部５６２が前記傾斜ガイドスロット４５６の側縁に当接して、前記第一固定部材４０が前記ガイドレール１０に沿って後方に向かって滑ることにして、且つ前記スプリング８２を引き伸ばして、前記第一固定部材４０のバッフル４３の固定栓４３２が前記前柱２２の固定孔を抜け出すことにする。続いて、内側に向かって前記ガイドレール１０の前方部を移動すると、前記ガイドレール１０の前方部が前記前柱２２から離れることができ、従って前記前柱２２から前記ガイドレール１０の前方部を取り外すことができる。この時、前記スライド部材５６のスライド部５６２が前記ガイドレール１０の推進素子１６まで移動して、続いて前記ガイドレール１０に沿って後方に向かって前記リリース部材３０を引っ張って、前記スプリング８２を更に引き伸ばし、前記スライド部５６２が前記ガイドレール１０の推進素子１６の推進面に沿って前記突台４５の傾斜ガイドスロット４５６で上に向かって滑り、前記スライド部５６２が前記作動鈎３２の内側に沿って上に向かって滑って前記作動鈎３２の頂部を越えてから、前記スライド部５６２が前記作動鈎３２の推進面３２２に沿って下に向かって滑って、前記作動鈎３２と前記スライド部材５６を分離させる。前記スプリング８２が元の状態に戻るとともに前記第一固定部材４０が初期位置まで滑ることにする。上述のように、前記リリース部材３０が前記ガイドレール１０に対して相対運動する時、前記第二固定部材６０のバッフル６４の固定栓６４２及び前記リリース部材３０の折辺３４の固定栓３４２は、前記後柱２４の貫通孔で対応的に滑ることができる。
【００２６】
図９を参照すると、前記弾性シート７０の操作部７６を押して、前記弾性シート７０の前端を反らせて、前記橋接部７５４を前記第二固定部材６０の収容口６２２及び前記リリース部材３０の開口３６から取り出させ、前記リリース部材３０に沿って後方に向かって前記第二固定部材６０を引っ張り、且つ前記スプリング８４を引き伸ばして、前記リリース部材３０の折辺３４と前記第二固定部材６０のバッフル６４との間の距離を増大して前記弾性シート７０の橋接部７５４を前記リリース部材３０の係合スロット３８に係合し、前記第二固定部材６０のバッフル６４の固定栓６４２が前記後柱２４の対応する貫通孔から抜け出すことにして、内側に向かって前記ガイドレール１０の後方部を移動して、前記リリース部材３０の折辺３４の固定栓３４２が前記後柱２４の対応する貫通孔から抜け出すことにして、前記ガイドレール１０の後方部と前記後柱２４を分離することができ、従って前記ガイドレール１０の後方部を取り外すことができる。
【００２７】
以上本発明を実施例に基づいて具体的に説明したが、本発明は、上述の実施例に限定されるものではなく、その要旨を逸脱しない範囲において、変更可能であることは勿論であって、本発明の権利範囲は、以下の特許請求の範囲から決まる。
【符号の説明】
【００２８】
１０  ガイドレール
１２，３４  折辺
１４，３７  タブ
１６  推進素子
２２  前柱
２４  後柱
３０  リリース部材
３１  長いスロット
３２  作動鈎
３６  開口
３８  係合スロット
３９  ガイド部
４０  第一固定部材
４２，６２，７２  本体
４３，６４  バッフル
４５  突台
５２，５４，５６  スライド部材
６０  第二固定部材
６６  固定シート
７０  弾性シート
７４  弾性部
７５，５２２，５４２  固定部
７６  操作部
８２，８４  スプリング
１２２，７５３  貫通孔
１８１，１８２，３７２，６２３，６２４，６６２  固定孔
３２２  推進面
３４２，４３２，６４２  固定栓
４４２，４４４，４４６  水平ガイドスロット
４５２  水平部
４５４  傾斜部
４５６  傾斜ガイドスロット
４５８  舌片
５４４，５６４  フック部
５６２  スライド部
５６６  係止部
６２１  突起
６２２  収容口
７５２  引導孔
７５４  橋接部
【図１】
0005415811.tif 000002
【図２】
0005415811.tif 000003
【図３】
0005415811.tif 000004
【図４】
0005415811.tif 000005
【図５】
0005415811.tif 000006
【図６】
0005415811.tif 000007
【図７】
0005415811.tif 000008
【図８】
0005415811.tif 000009
【図９】
0005415811.tif 000010